(57)【特許請求の範囲】
【請求項１】
ディスクから信号を読み出す光ピックアップと、
前記光ピックアップにより読み出された信号からデータを再生するためのクロックを再生するクロック再生回路と、
前記クロック再生回路により再生されたクロックでデータを再生する信号処理回路と、
時間の経過を計測するタイマと、
前記ディスクの回転の加速中あるいは減速中に、前記クロック再生回路に設定されている線速度レンジを切り替える切替手段と、を具備し、
前記切替手段は、現時点のディスクの線速度が目標の線速度に到達するまでの時間を時間情報として定義した線速度知識と前記タイマにより計測された経過時間とに基づいて、前記クロック再生回路に設定されている線速度レンジを切り替える
ことを特徴とするディスク再生装置。
【請求項２】
前記線速度知識は、前記時間情報をディスクのサイズに対応させて定義しており、
さらに、前記切替手段は、前記時間情報をディスクのサイズに対応させて定義した当該線速度知識と前記タイマにより計測された経過時間とに基づいて、複数の異なるタイミングで前記線速度レンジを切り替える
ことを特徴とする請求項１記載のディスク再生装置。
【請求項３】
光ピックアップにより読み出された信号からデータを再生するためのクロックを再生するクロック再生回路と、前記クロック再生回路により再生されたクロックでデータを再生する信号処理回路と、時間の経過を計測するタイマと、を有するディスク再生装置によるディスク再生方法において、
現時点のディスクの線速度が目標の線速度に到達するまでの時間を時間情報として定義した線速度知識と前記タイマにより計測された経過時間とに基づいて、前記ディスクの回転の加速中あるいは減速中に、切替手段が、前記クロック再生回路に設定されている線速度レンジを切り替える
ことを特徴とするディスク再生方法。
【請求項４】
前記線速度知識は、前記時間情報をディスクのサイズに対応させて定義しており、
さらに、前記切替手段は、前記時間情報をディスクのサイズに対応させて定義した当該線速度知識と前記タイマにより計測された経過時間とに基づいて、複数の異なるタイミングで前記線速度レンジを切り替える
ことを特徴とする請求項３記載のディスク再生方法。
【発明の詳細な説明】
【０００１】
【発明の属する技術分野】
本発明は、ＣＤ、ＣＤ−ＲＯＭ等の光ディスクに記録された情報を読み取るためのディスク再生装置及びその制御方法に関する。
【０００２】
【従来の技術】
ＣＤ、ＣＤ−ＲＯＭ等の線速度一定記録方式の光ディスクにおいては、例えばディスクの停止状態から最高倍速によるディスク再生を開始する際、ディスクの回転速度が最高倍速によるディスク再生が可能な速度にまで立ち上がるまでにある程度の時間を要する。一方、ＣＤ−ＲＯＭ等の信号処理装置は、ピックアップから送られてくる信号をデータに復調する際、ＰＬＬ設定周波数という、入力信号の速度を予め設定することで、これに近い速度で入力される信号を正しく復調することができる。
【０００３】
【発明が解決しようとする課題】
しかしながら、ディスクの加速中にはピックアップから信号処理装置に送られる信号の速度も、時間とともに変化する。この場合、例えば最高速度の入力信号を復調することの可能なＰＬＬ設定周波数を予め設定しておくと、ディスクの回転が十分速くなって入力される信号が設定したＰＬＬ周波数で復調可能となるまで、データを読み出すことができない。
【０００４】
本発明は、このような課題を解決するためになされたものであり、ディスクの加速中あるいは減速中といった過渡的な状態でもディスク上の情報を正しく読み取ることが可能なディスク再生装置およびディスク再生方法を提供しようとするものである。
【０００５】
【課題を解決するための手段】
上記目的を達成するために、本発明のディスク再生装置は、ディスクから信号を読み出す光ピックアップと、前記光ピックアップにより読み出された信号からデータを再生するためのクロックを再生するクロック再生回路と、前記クロック再生回路により再生されたクロックでデータを再生する信号処理回路と、時間の経過を計測するタイマと、前記ディスクの回転の加速中あるいは減速中に、前記クロック再生回路に設定されている線速度レンジを切り替える切替手段と、を具備し、前記切替手段は、現時点のディスクの線速度が目標の線速度に到達するまでの時間を時間情報として定義した線速度知識と前記タイマにより計測された経過時間とに基づいて、前記クロック再生回路に設定されている線速度レンジを切り替えることを特徴とする。
【０００９】
さらに、本発明のディスク再生方法は、光ピックアップにより読み出された信号からデータを再生するためのクロックを再生するクロック再生回路と、前記クロック再生回路により再生されたクロックでデータを再生する信号処理回路と、時間の経過を計測するタイマと、を有するディスク再生装置によるディスク再生方法において、現時点のディスクの線速度が目標の線速度に到達するまでの時間を時間情報として定義した線速度知識と前記タイマにより計測された経過時間とに基づいて、前記ディスクの回転の加速中あるいは減速中に、切替手段が、前記クロック再生回路に設定されている線速度レンジを切り替えることを特徴とする。
【００１１】
【発明の実施の形態】
以下、本発明の実施の形態を図面に基づき説明する。
【００１２】
図１は本発明の第１の実施形態にかかるディスク再生装置を概略的に示すブロック図である。
【００１３】
同図に示すように、ディスクモータ１により駆動されるディスクから、光学式ピックアップ２によって読み出された信号はＲＦアンプ３に供給される。ＲＦアンプ３は光学式ピックアップ２の出力からフォーカスエラー信号やトラッキングエラー信号を抽出しフォーカス・トラッキング制御回路に供給するとともに、増幅させたＲＦ信号を信号処理装置４の中のレベルスライス・ＰＬＬ回路５へ供給する。信号処理装置４は、レベルスライス・ＰＬＬ回路５及び信号処理回路７からなり、レベルスライス・ＰＬＬ回路５は、増幅されて供給されたＲＦ信号を２値化してＥＦＭ信号を得ると同時にこのＥＦＭ信号を読み取るためにＥＦＭ信号に同期したＰＬＬクロックを生成する。２値化されたＥＦＭ信号、及びＰＬＬクロックは信号処理回路７に供給される。信号処理回路７はＰＬＬクロックを用いてＣＤ等の同期信号を検出し、これを基にデータ分離、ＥＦＭ復調を行う。そして信号処理回路７は復調した再生データをＩ／Ｆ８に供給する。Ｉ／Ｆ８は、ホストコンピュータとの間での各種動作命令及びデータの送受等、インターフェイスに関する交信制御を行う。動作命令はＩ／Ｆ８を介してシステムコントローラ９とホストコンピュータ１０との間で送受される。
【００１４】
ここで、システムコントローラ９について詳述する。システムコントローラ９には、再生命令の発生からこの再生命令に応じた目標線速度によるディスク再生が開始されるまでの期間、つまりディスクモータ１によるディスクの回転の起動時又は高倍速再生から低速再生へのディスクの減速時にレベルスライス・ＰＬＬ回路５に最適な線速度レンジを設定するための知識情報（線速度知識）１１が格納された例えばＲＯＭ等の記憶部を有している。
【００１５】
線速度知識１１の例を図２に示す。同図に示すように、線速度知識１１は、現時点にてレベルスライス・ＰＬＬ回路５に設定されている線速度レンジから目標の線速度レンジに到達するまでの時間情報として定義されている。この線速度知識１１は、径の異なるディスク例えば１２ｃｍディスク及び８ｃｍディスク毎に用意されている。ディスクの径が異なると回転時に発生する慣性モーメントも違ってくるので、このように径の異なるディスク毎の慣性モーメント知識１２を基に別々の線速度知識を作成する必要がある。
【００１６】
図３において、（０）はディスク停止に該当する線速度レンジ、（５）は最高の線速度レンジを示している。ここで、現在の線速度レンジを（０）、目標の線速度レンジを（３）として１２ｃｍディスクを加速して行く場合を考える。このような場合に対して、ディスクの駆動開始後０．７秒間は線速度レンジを（０）のままとし、０．７秒が経過したら（１）の線速度レンジに切り替え、さらに１．０秒が経過したら（２）の線速度レンジに切り替え、この後２．２秒が経過したら（３）の線速度レンジに切り替えるという線速度知識１１が定義されている。  システムコントローラ９（線速度選択部１３）は、このような線速度知識１１に基づいて、再生倍速を高速または低速に変更する際の過渡的なディスク回転状態において、レベルスライス・ＰＬＬ回路５の最適な線速度レンジをタイマ１４により得た経過時間に応じて逐次切り替えて行く。
【００１７】
このように、本実施形態のディスク再生装置によれば、現時点の線速度レンジから目標の線速度レンジを時間的な要素とともに定義した線速度知識１１に基づいてレベルスライス・ＰＬＬ回路５の線速度レンジを最適に切り替えることで、ディスクの加速中あるいは減速中といった過渡的な状態においてもデータ再生をより良好に行うことができる。
【００１８】
次に、第２の実施形態について説明する。この実施形態のディスク再生装置は、図４に示すように、第１の実施形態のディスク再生装置のシステムコントローラ９に代えてシステムコントローラ１５が設けられているとともに、２つの信号処理装置４が設けられており、さらに、これら各信号処理装置の出力をシステムコントローラ１５の制御下で適宜選択するスイッチ１６が設けられている。
【００１９】
この実施形態のシステムコントローラ１５は、予め決められた一方の信号処理装置から同期信号の出力が検出された場合、その信号処理装置をスイッチ１６を介して選択し、選択された信号処理装置の再生データをＩ／Ｆ８を介してホストコンピュータ１０に供給する。同時に、他方の信号処理装置に対応するレベルスライス・ＰＬＬ回路５の線速度レンジと、一方の信号処理装置に対応するレベルスライス・ＰＬＬ回路５の線速度レンジとの大小関係を反転させるように、他方の信号処理装置に対応するレベルスライス・ＰＬＬ回路５の線速度レンジを切り替え、このようにして、再生命令の発生から該再生命令に応じた目標線速度によるディスク再生が開始されるまでの期間は、レベルスライス・ＰＬＬ回路５の線速度レンジを各信号処理装置に対して交互に切り替えて行く。
【００２０】
したがって、本実施形態のディスク再生装置によれば、一方の信号処理装置、つまり高い（又は低い）線速度レンジが設定されたほうの信号処理装置にて正しくデータ再生が行われている間に、他方の信号処理装置つまり低い（又は高い）線速度レンジが設定されているほうの信号処理装置の線速度レンジを一方の信号処理装置の線速度レンジよりもさらに高い（又は低い）線速度レンジに切り替えることで、時間経過に伴う実際の線速度の変化に追従することができ、この結果、ディスクの加速中あるいは減速中の過渡的な状態でも再生データをとぎれることなく出力することが可能である。
【００２１】
次に、第３の実施形態について説明する。この実施形態のディスク再生装置は、図５に示すように、第１の実施形態のディスク再生装置のシステムコントローラ９に代えてシステムコントローラ１７が設けられているとともに、複数の信号処理装置４が設けられている。さらに、再生命令の発生からこの再生命令に応じた目標線速度によるディスク再生が開始されるまでの期間で、常にいずれかの信号処理装置が同期信号を出力できるように各信号処理装置のレベルスライス・ＰＬＬ回路５に互いに異なる線速度レンジが設定されており、そして各信号処理装置の出力をシステムコントローラ１７の制御下で適宜選択するスイッチ１８が設けられている。
【００２２】
この実施形態のシステムコントローラ１７は、再生命令の発生からこの再生命令に応じた目標線速度によるディスク再生が開始されるまでの期間で、前述した複数の信号処理装置の中から、同期信号の出力が検出された信号処理装置を、スイッチ１８を切り替えることにより適宜選択し、選択された信号処理装置の再生データをＩ／Ｆ８を介してホストコンピュータ１０に供給するものである。
【００２３】
このように、本実施形態のディスク再生装置によれば、互いに異なる線速度レンジが設定された複数のレベルスライス・ＰＬＬ回路５によって、常にいずれかの信号処理装置が再生データを出力することができるため、時間経過に伴う実際の線速度の変化に追従することができ、この結果、ディスクの加速中あるいは減速中の過渡的な状態でも再生データをとぎれることなく出力することができる。
【００２５】
【発明の効果】
以上説明したように、本発明によれば、時間経過に伴う実際の線速度の変化に追従することができ、この結果、ディスクの加速中あるいは減速中の過渡的な状態でも再生データをとぎれることなく出力することができる。
【図面の簡単な説明】
【図１】本発明の第１の実施形態にかかるディスク再生装置を示すブロック図
【図２】図１のディスク再生装置のシステムコントローラが有する線速度知識を示す図
【図３】図１のディスク再生装置を用いた場合のディスクの線速度と線速度レンジとの関係を示す図
【図４】本発明の第２の実施形態にかかるディスク再生装置を示すブロック図
【図５】本発明の第３の実施形態にかかるディスク再生装置を示すブロック図
【符号の説明】
１……ディスクモータ
２……光学式ピックアップ
４……信号処理装置
５……レベルスライス・ＰＬＬ回路
７……信号処理回路
９、１５、１７……システムコントローラ
１１……線速度知識
１２……慣性モーメント知識
１３……線速度選択部
１４……タイマ
１６、１８……スイッチ
【図１】
0003966989.tif 000002
【図２】
0003966989.tif 000003
【図３】
0003966989.tif 000004
【図４】
0003966989.tif 000005
【図５】
0003966989.tif 000006